【手続補正書】
【提出日】令和1年11月27日(2019.11.27)
【手続補正１】
【補正対象書類名】明細書
【補正対象項目名】００２４
【補正方法】変更
【補正の内容】
【００２４】
【図１】本発明の一実施の形態に係る分析システムの構成を示す図である。
【図２】図１の分析制御システムの機能的な構成を示すブロック図である。
【図３】図１の分析装置の構成を示す図である。
【図４】表示部に表示される動作シーケンス画面の一例を示す図である。
【図５】図４のタイムライン表示領域の詳細を示す図である。
【図６】第２の表示モードにおけるタイムライン表示領域の詳細を示す図である。
【図７】動作シーケンスの編集の一例を示す図である。
【図８】動作シーケンスの編集の他の例を示す図である。
【図９】動作シーケンス編集プログラムにより行われる編集処理のアルゴリズムを示すフローチャートである。
【図１０】動作シーケンス編集プログラムにより行われる編集処理のアルゴリズムを示すフローチャートである。
【手続補正２】
【補正対象書類名】明細書
【補正対象項目名】００５７
【補正方法】変更
【補正の内容】
【００５７】
複数の項目表示枠１４３ｃは、上下方向に並ぶように配置される。各項目表示枠１４３ｃには、設定項目を識別する設定項目識別情報が表示される。図５の例においては、複数の項目表示枠１４３ｃに、設定項目識別情報として「設定項目１」〜「設定項目７」がそれぞれ表示される。具体的な設定項目識別情報は、「リング電極」、「エンドキャップ電極」、「補正電極」、「レーザ」、「ヘリウムガス」、「アルゴンガス」または「Ａ／Ｄ変換」等である。
【手続補正３】
【補正対象書類名】明細書
【補正対象項目名】００６７
【補正方法】変更
【補正の内容】
【００６７】
生成部１２は、ステップＳ２で取得された分析制御ファイルに基づいて画面データを生成する（ステップＳ３）。表示制御部１３は、ステップＳ３で生成された画面データに基づいて動作シーケンス画面を表示部１４０に表示させ（ステップＳ４）、ステップＳ５に進む。以降の処理においては、動作シーケンス画面が継続的に表示部１４０に表示される。また、画面データが更新された場合には、更新後の画面データに基づいて動作シーケンス画面が表示部１４０に表示される。
【手続補正４】
【補正対象書類名】明細書
【補正対象項目名】００７４
【補正方法】変更
【補正の内容】
【００７４】
ステップＳ５において、編集処理の終了が指示された場合、表示制御部１３は、画面データが更新されたか否かを判定する（ステップＳ１６）。画面データが更新されなかった場合、表示制御部１３は編集処理を終了する。画面データが更新された場合、作成部１８は、ステップＳ９，Ｓ１２，Ｓ１５における更新後の画面データに基づいてステップＳ２で取得された分析制御ファイルを更新する（ステップＳ１７）。また、作成部１８は、ステップＳ１７で更新された分析制御ファイルを記憶装置１２０等に記憶させ（ステップＳ１８）、編集処理を終了する。
【手続補正５】
【補正対象書類名】明細書
【補正対象項目名】００７６
【補正方法】変更
【補正の内容】
【００７６】
（６）効果
本実施の形態に係る動作シーケンス編集装置１０においては、動作シーケンス画面１４１が表示部１４０に表示される。動作シーケンス画面１４１においては、分析装置２００の複数の工程を識別する複数の工程識別情報が表示された複数の工程表示枠１４３ｂが、時間軸方向に時系列で並び、時間軸に沿って配置される。各工程の複数の設定項目を識別する複数の項目識別情報を表示する複数の項目表示枠１４３ｃが、時間軸方向に直交する方向に並ぶように配置される。複数の設定項目の内容が表示された複数の内容表示枠１４３ｄが、工程ごとに時間軸方向に直交する方向に並ぶように配置される。各工程に対応する工程表示枠１４３ｂと複数の内容表示枠１４３ｄとにより工程表示列１４３ｆが構成される。
【手続補正６】
【補正対象書類名】特許請求の範囲
【補正対象項目名】全文
【補正方法】変更
【補正の内容】
【特許請求の範囲】
【請求項１】
表示部を用いて分析装置の動作シーケンスの編集を行うための動作シーケンス編集装置であって、
動作シーケンスの複数の工程の各々に含まれる一または複数の設定項目の内容を取得する取得部と、
取得された複数の工程の一または複数の設定項目の内容を動作シーケンス画面として表示させるための画面データを生成する生成部と、
生成された画面データに基づいて動作シーケンス画面を前記表示部に表示させる表示制御部とを備え、
前記動作シーケンス画面は、第１の方向に延びる時間軸を含み、前記複数の工程が前記第１の方向に時系列で並び、各工程の一または複数の設定項目の内容が前記第１の方向と交差する第２の方向に並ぶように配置される、動作シーケンス編集装置。
【請求項２】
前記動作シーケンス画面は、前記複数の工程を識別する複数の工程識別情報を表示する複数の工程表示枠、複数の設定項目を識別する複数の項目識別情報を表示する複数の項目表示枠、および前記複数の設定項目の内容を表示する複数の内容表示枠を含み、
前記複数の工程表示枠は前記時間軸に沿って配置され、前記複数の項目表示枠は前記第２の方向に並ぶように配置され、前記複数の内容表示枠は、工程ごとに前記第２の方向に並ぶように配置され、各工程に対応する前記工程表示枠と一または複数の内容表示枠とが工程表示列を構成する、請求項１記載の動作シーケンス編集装置。
【請求項３】
前記表示制御部を第１の表示モードおよび第２の表示モードに選択的に切り替える表示モード切替部をさらに備え、
前記表示制御部は、前記第１の表示モードでは、複数の工程表示列の各々が前記第１の方向において各工程の実時間に対応する長さを有するように前記動作シーケンス画面を表示させ、前記第２の表示モードでは、複数の工程表示列が前記第１の方向において等しい長さを有するように前記動作シーケンス画面を表示させる、請求項２記載の動作シーケンス編集装置。
【請求項４】
使用者の操作に基づいて、前記動作シーケンス画面において選択された内容表示枠の内容を他の内容表示枠に移動する内容移動部をさらに備え、
前記生成部は、前記内容移動部による内容の移動に基づいて前記画面データを更新する、請求項２または３記載の動作シーケンス編集装置。
【請求項５】
使用者の操作に基づいて、前記動作シーケンス画面において選択された工程表示列を前記時間軸の方向に移動する列移動部をさらに備え、
前記生成部は、前記列移動部による工程表示列の移動に基づいて前記画面データを更新する、請求項２〜４のいずれか一項に記載の動作シーケンス編集装置。
【請求項６】
前記表示制御部は、前記動作シーケンス画面において選択された内容表示枠に一または複数の内容を設定するための詳細情報設定領域を前記表示部に表示させ、
前記動作シーケンス編集装置は、前記詳細情報設定領域において一または複数の内容の設定を受け付ける受付部をさらに備え、
前記生成部は、前記受付部により受け付けられた一または複数の内容に基づいて前記画面データを更新する、請求項１〜５のいずれか一項に記載の動作シーケンス編集装置。
【請求項７】
前記画面データに基づいて、前記分析装置を制御するための分析制御ファイルを作成する作成部をさらに備える、請求項１〜６のいずれか一項に記載の動作シーケンス編集装置。
【請求項８】
分析装置の動作を制御する分析制御システムであって、
請求項７記載の動作シーケンス編集装置と、
前記動作シーケンス編集装置の前記表示制御部による制御に基づいて動作シーケンス画面を表示する表示部と、
前記動作シーケンス編集装置の前記作成部により作成された分析制御ファイルに基づいて前記分析装置の動作を制御する分析制御装置とを備える、分析制御システム。
【請求項９】
請求項８記載の分析制御システムと、
前記分析制御システムの前記分析制御装置による制御に基づいて試料の分析を実行することにより分析結果を示す分析データを得る分析装置とを備える、分析システム。
【請求項１０】
表示部を用いて分析装置の動作シーケンスの編集を行うための動作シーケンス編集方法であって、
動作シーケンスの複数の工程の各々に含まれる一または複数の設定項目の内容を取得するステップと、
取得された複数の工程の一または複数の設定項目の内容を動作シーケンス画面として表示させるための画面データを生成するステップと、
生成された画面データに基づいて動作シーケンス画面を前記表示部に表示させるステップとを含み、
前記動作シーケンス画面は、第１の方向に延びる時間軸を含み、前記複数の工程が前記第１の方向に時系列で並び、各工程の一または複数の設定項目の内容が前記第１の方向と交差する第２の方向に並ぶように配置される、動作シーケンス編集方法。